(57)【特許請求の範囲】
【請求項１】
サブスクリーンを有するスクリーンユニットを複数有し、前記サブスクリーンを略平面充填して１面のスクリーンを形成する組立て式スクリーンにおいて、
前記スクリーンの外枠および複数の前記スクリーンユニットのそれぞれを囲うように設けられた格子状の枠とからなる支持枠と、
前記格子状の枠によって形成された各区画内に前記スクリーンユニットを固定する固定手段と、
前記各区画内での前記スクリーンユニットの位置を調整する位置調整手段と、
それぞれの前記サブスクリーンの面が、前記スクリーン面に対してなす角を、前記サブスクリーン毎に調整する角度調整手段と、
を有することを特徴とする組立て式スクリーン。
【請求項２】
前記スクリーンユニットが、
前記サブスクリーンと、
前記サブスクリーンの裏面を支持する枠状の第１のフレームと、
前記第１のフレームから見て前記サブスクリーンとは反対の側に設けられた枠状の第２のフレームと、
前記第１のフレームと前記第２のフレームとの間に配置された複数の弾性体とを有し、
前記角度調整手段が、前記第１のフレームが形成する面と前記第２のフレームが形成する面のなす角を調整することを特徴とする請求項１に記載の組立て式スクリーン。
【請求項３】
前記位置調整手段が、前記支持枠に係止され、前記第２のフレームに係合する位置調整ネジであることを特徴とする請求項２に記載の組立て式スクリーン。
【請求項４】
前記第２のフレームが、前記位置調整ネジに係合する凹部を有することを特徴とする請求項３に記載の組立て式スクリーン。
【請求項５】
前記角度調整手段が、前記第２のフレームに係止されたネジであり、その先端部が前記第１のフレームに当接することを特徴とする請求項２乃至請求項４いずれか一項に記載の組立て式スクリーン。
【請求項６】
板材と、前記板材を前記第１のフレームに接続する接続手段とからなる固定具とを有し、前記板材と前記サブスクリーンとで前記支持枠を挟持する、ことを特徴とする請求項２乃至請求項５いずれか一項に記載の組立て式スクリーン。
【請求項７】
スクリーンの外枠と格子状の枠とを有する支持枠を用い、
前記格子状の枠が形成する各区画に、サブスクリーンを有するスクリーンユニットを略固定する工程と、
前記サブスクリーンの面と、前記支持枠が形成する面とのなす角を前記スクリーンユニット毎に調整する工程と、
前記区画内におけるスクリーンユニットの位置を調整する工程とを有し、
前記サブスクリーンを略平面充填することを特徴とするスクリーンの組立て方法。
【発明の詳細な説明】
【技術分野】
【０００１】
本発明は、スクリーンに関し、特に組立て式のスクリーンに関する。
【背景技術】
【０００２】
近年、投影型の画像表示装置の高性能化により、大画面に投影しても美しい画像形成することが可能になってきている。このため投影スクリーンも大型化が進んでいる。このような大型のスクリーンは展示会などのイベントで使用されることが多い。その場合、設置場所は一定ではなく、運搬が必要になる。運搬を容易にするためには、大型のスクリーンを小面積のユニットに分解できることが望ましく、また設置のための組立・調整が容易であることが望ましい。ここでスクリーンの組立・調整における課題は、ユニット間に隙間（目地）や段差を作らずに各ユニットを接続することである。一般的に、夫々のユニットには製造ばらつきがあり、また熱的な膨張収縮の履歴による歪みが発生する。このため、組立を行う度にユニット同士を隙間なく配置するための微調整が必要になる。
【０００３】
特許文献１には、隣接するユニットを隙間なく接続する技術が開示されている。図１１（ａ）はこの技術を用いたスクリーンユニットを示す斜視図である。枠型のフレーム１０１にサブスクリーン１０２が張られている。フレーム１０１には組立の際に隣接するユニットを接続するためのジョイントボルト１０３が設けられている。図１１（ｂ）はジョイントボルト１０３を用いて、２つのユニットを接続する方法を示す模式図である。まず、サブスクリーン１０２の端同士を近付けた状態で、４つのナット１０４をジョイントボルト１０３に螺合させる。次いで各ナット１０４を回転させ、２つのサブスクリーン１０２の端部同士の距離を前後させ、端部が隙間なく配置された状態でナット１０４を固定する。この操作を繰り返すことにより２次元的にスクリーンユニットを接続することができる。
【０００４】
また特許文献２にはスクリーンユニットを隙間なく接続する別の技術が開示されている。図１２（ａ）はこの技術の全体像を示す模式図である。フレーム１１１と、これに支持されたサブスクリーン１１２がユニットを構成している。各ユニットはフレーム１１１の背面に設けられて吊り下げ具１１７（図示なし)を用いて支持枠113に取り付けられている。フレーム１１１の上辺に上押しボルト１１４、左右の辺に横押しボルト１１５が取り付けられている。図１２（ｂ）はユニットの吊り下げ方法を詳細に示す模式図である。サブスクリーン１１２の上端にはリブ１１６が設けられ、リブ１１６がフレーム１１１に係合している。フレーム１１１は吊り下げ具１１７によって、支持枠１１３に吊り下げられる。このとき吊り下げ具１１６の一端には上押しボルト１１５が取り付けられており、吊り下げ具１１６はこの上押しボルト115を介して、支持枠113に係合する。
【０００５】
この技術を用いて、スクリーンを組み立てる手順は次の通りである。まず３つのスクリーンユニットを吊り下げ具１１６を介して支持枠１１３に取り付ける。この時、概略各ユニットの端面が一致するように仮止めする。次にそれぞれの上押しボルト１１４を調整し、各ユニットの上下方向を一致させる。上押しボルト１１４は各ユニットの左右に配置されており、これらを独立に調整することができる。このため、支持枠の上辺に対するユニット上辺の傾きも調整することができる。次いで、左右の横押しボルト１１５を調整し、各ユニットの端部同士を合わせて固定する。このようにして、各ユニット間に隙間を作らずにスクリーン全体を組み立てることができる。
【先行技術文献】
【特許文献】
【０００６】
【特許文献１】特開２００５−３１６２９６号公報                          （００６３）−（００６７）  図６
【特許文献２】特開２０００−１８７２８０号公報                          （００３５）−（００４１）  図１、２
【発明の概要】
【発明が解決しようとする課題】
【０００７】
特許文献１の技術では、２次元的にユニットを接続しようとすると、全部のユニットを隙間なく接続することができない問題がある。一例として４つのユニットを２×２の形に接続する場合を考える。まず３つのユニットを接続し、ジョイントボルトを調整して隙間を無くす。このとき４つ目のユニットが入るべきスペースには、３つのユニットを接続した歪みが反映されている。そのスペースの形が、４つ目のユニットの形に一致するかは運任せであり、一般的には一致しない。またサブスクリーンの厚み方向に歪みがあった場合には、接続部に段差が発生してしまう。
【０００８】
特許文献２の技術の問題点は、支持枠の外周に配置されているユニットしか位置調整ができないことである。このため本技術が適用できるのは最大３×３の配置までである。この場合中央の１ユニットを不動として、外周に配置されるユニットを位置調整することで全体の調整が可能である。しかしながら、３×４以上の配置には適用することができない。またサブスクリーンの厚み方向に歪みがあった場合には接続部に段差が発生してしまう。
【０００９】
本発明はこのような課題に鑑みてなされたものであり、複数のサブスクリーンを配列して、段差や隙間のない組立て式スクリーンを提供することである。
【課題を解決するための手段】
【００１０】
サブスクリーンを有するスクリーンユニットを複数有し、前記サブスクリーンを略平面充填して１面のスクリーンを形成する組立て式スクリーンにおいて、それぞれの前記サブスクリーンの面が、前記スクリーン面に対してなす角を、前記サブスクリーン毎に調整する角度調整手段を有している。
【００１１】
また、前記スクリーンの外枠、および複数の前記スクリーンユニットのそれぞれを囲うように設けられた格子状の枠、とからなる支持枠を有し、前記支持枠によって形成された各区画内に前記スクリーンユニットを固定する固定手段と、前記区画内での前記スクリーンユニットの位置を調整する位置調整手段を有している。
【発明の効果】
【００１２】
本発明の効果は、複数のサブスクリーンを配列して、段差や隙間のないスクリーンを構成できることである。これは個々のスクリーンユニットが独立に、仰角および位置を調整できることによる。
【図面の簡単な説明】
【００１３】
【図１】本発明第１の実施の形態の全体像を示す斜視図である。
【図２】本発明第１の実施の形態の一部を示す平面図である。
【図３】本発明第１の実施の形態の動作を示す断面模式図である。
【図４】本発明第２の実施の形態の動作を示す断面模式図である。
【図５】本発明第２の実施の形態の構成の一例を示す側面模式図である。
【図６】本発明第３の実施の形態を示す断面模式図である。
【図７】本発明第４の実施の形態を示す断面模式図である。
【図８】本発明第５の実施の形態を示す断面模式図である。
【図９】本発明第６の実施の形態を示す断面模式図である。
【図１０】本発明第７の実施の形態を示す平面図である。
【図１１】本発明第７の実施の形態の動作を示す断面模式図である。
【図１２】特許文献１の従来技術を示す斜視図および断面模式図である。
【図１３】特許文献２の従来技術を示す平面図および断面模式図である。
【発明を実施するための形態】
【００１４】
次に、本発明の実施の形態について図面を参照して詳細に説明する。 
（第１の実施の形態）
図１は本発明第１の実施の形態における、スクリーンの全体像を示す斜視図である。図１はスクリーンユニット１が４つで２×２に配置する例である。支持枠２はスクリーンの骨組みとなる枠状の部材であり、金属、樹脂、木材などによって形成される。支持枠２の各支柱には支柱を貫通する位置調整ネジ７が設けられている。支柱によって形成される各区画の１辺について区画の内側に向かう位置調整ネジ７がそれぞれ２個以上設けられる。
【００１５】
スクリーンユニット１は平板状のサブスクリーン３と、サブスクリーン３の裏面を支持する枠状の上部フレーム４と、弾性体５と、弾性体５によって上部フレーム４に接続される枠状の下部フレーム６と、下部フレーム６に螺合し、かつ下部フレーム６を貫通し、上部フレーム４に先端が当接する角度調整ネジ８から構成される。角度調整ネジ８は上部フレームが形成する面と、下部フレーム６が形成する面がなす角の、角度を調整するものである。サブスクリーン３は、反射スクリーンの場合にはスクリーン生地、樹脂板などからなる反射性の部材、透過型スクリーンの場合には樹脂板、擦りガラス、レンズシートなど透光性の部材によって構成される。また、上部フレーム４、下部フレーム６は金属、樹脂、木材などによって構成される。また弾性体５は金属、ゴムなどの弾性材料を板バネや蛇腹などの形状に加工して形成される。それぞれのスクリーンユニット１は支持枠２の各区画に配置され、下部フレーム６の側面を、位置調整ネジ７で支持することよって取り付けられる。
【００１６】
図２はスクリーンユニット１が支持枠２に取り付けられた時の構成を示す平面図である。前記したように、下部フレーム６の側面が位置調整ネジ７によって支持されることによりスクリーンユニット１と支持枠２は結合する。角度調整ネジ８は、最低限、下部フレーム６のどこかに１箇所設置されていれば機能を発揮することができるが、３点支持の原則に基づけば３点以上であることが望ましい。調整のし易さや、部品の共通化を考慮すると、矩形を成す下部フレーム６の各頂点に１つずつ、４点とすることが好適である。
【００１７】
次に図面を参照しながら、本実施の形態における、サブスクリーン３の位置と角度の調整方法について説明する。図３は図２のＡ−Ａ’における断面模式図である。下部フレーム６の側面に位置調整ネジ７の先端が突き当たっている。図中左右の位置調整ネジ７を連動して動かすことにより、下部フレーム６の左右方向における位置を動かすことができる。紙面の鉛直方向についても同様である。また、角度調整ネジ８を回すことによって、サブスクリーン３の面がスクリーン面となす角を調整することができる。このようにしてサブクリーン３と隣接するサブスクリーン３’を隙間なく、かつ段差無く接続することができる。なお、位置調整ネジ７や角度調整ネジ８は手で回せるようなツマミ付のネジしておくと作業性がしやく便利である。
（第２の実施の形態）
図４は本発明第２の実施の形態を示す断面模式図である。本実施の形態で弾性体５に代えて、袋状体９を設けている。袋状体９には気体や液体を充填することができる。この気体や液体の量を変えることにより上部フレーム４と下部フレーム６の成す角を調整することが可能である。図５はこの袋状体９の例を示す側面図である。図５（ａ）は、袋状体９の開口部に逆止弁１０を設けたものである。例えば充填物が空気の場合、空気入れをこの逆止弁１０に接続し空気を注入することができる。図示はしていないが、充填物を放出する機構も備えている。図５（ｂ）は蛇腹状で手動のポンプ１１を備えた例である。このような機構によれば、道具を使うことなく、角度の調整ができる。
（第３の実施の形態）
図６は本発明第３の実施の形態を示す断面模式図である。本実施の形態ではスサブクリーン３の側端面に緩衝層１２を設けている。緩衝層１２は弾性を有する部材で、その光学特性をサブスクリーン３に近づけたものである。例えば、スクリーン生地を用いた反射型スクリーンの場合には、フッ素ゴム、シリコーンゴムなどであり、反射特性を合わせるためにアルミナやシリカの粉末を混入するなどしても良い。その他の場合も、用いるサブスクリーン３の素材に合わせて緩衝層１２の素材も選定すれば良い。本実施の形態によれば、スクリーン３の端面に微小な歪みがある場合でも、隙間を作らずにスクリーンを組み立てることができる。また接続精度の条件が緩和されるため、作業精度のマージンも拡大することができる。
（第４の実施の形態）
図７は本発明第４の実施の形態を示す断面模式図である。本実施の形態では下部フレーム６の側面に溝１３を設けている。溝１３に位置調整ネジ７の先端が係合することで、下部フレーム６、すなわちスクリーンユニット１が支持枠２に対してより強固に固定される。
（第５の実施の形態）
図８は本発明第５の実施の形態を示す断面模式図である。本実施の形態ではスクリーンユニット１と支持枠２の結合をより強固にするために固定具１４を設けている。固定具１４は固定ネジ１５を用いて、上部フレーム４に固定される。本実施の形態によるスクリーンユニット１の調整方法は次の通りである。まず本発明第１の実施の形態の手順に従い、サブスクリーン３の水平方向位置およびスクリーン面とのなす角を調整して、隣接するスクリーンとの間を隙間なく、かつ同一平面となるように調整する。この状態で固定具１４を下部フレーム６に当接し、固定ネジ１５締めると、サブスクリーン３の下面と固定具１４の上面により支持枠２の支柱が挟まれることになり、スクリーンユニット１が固定される。
（第６の実施の形態）
図９は本発明第６の実施の形態を示す断面模式図である。本実施の形態では第５の実施の形態の固定ネジ１２に代えてバネ材１６によって固定具１４をサブスクリーン３に引き付けている。この場合、スクリーンユニット１を固定した後でも、スクリーンユニットの位置およびスクリーン面とのなす角の微調整が可能である。調整した後はバネの付勢力によって調整後の位置が維持される。
（第７の実施の形態）
図１０は本発明第７の実施の形態を示す平面模式図、図９は図８のＢ−Ｂ‘における断面模式図である。本実施の形態では、上部フレーム４に梁１７を設け、また梁１７に当接するようにスクリーンユニット１の内部に内部角度調整ネジ１８を設けている。この構成によれば、仮にサブスクリーン３面内に歪みが存在した場合にも、内部角度調整ネジ１８を調整することによって、その歪みを矯正することができる。梁１７の素材は適度な弾性を有する材料であれば良く、適当な径を有する金属、樹脂、繊維強化樹脂などを用いることができる。本発明を用いれば、組立後のスクリーン全体にわたって隙間なく平坦な平面を形成することができる。
（付記）
（付記１）
サブスクリーンを有するスクリーンユニットを複数有し、前記サブスクリーンを略平面充填して１面のスクリーンを形成する組立て式スクリーンにおいて、それぞれの前記サブスクリーンの面が、前記スクリーン面に対してなす角を、前記サブスクリーン毎に調整する角度調整手段を有することを特徴とする組立て式スクリーン。
（付記２）
前記角度調整手段が前記サブスクリーン背面に圧力を加える押圧手段であることを特徴とする付記１記載の組立て式スクリーン。
（付記３）
前記サブスクリーンの端面に緩衝層を有することを特徴とする付記１記載の組立て式スクリーン。
（付記４）
前記緩衝材が前記サブスクリーンに類似した光学特性を有することを特徴とする付記１記載の組立て式スクリーン。
（付記５）
前記スクリーンの外枠、および複数の前記スクリーンユニットのそれぞれを囲うように設けられた格子状の枠、とからなる支持枠を有し、前記支持枠によって形成された各区画内に前記スクリーンユニットを固定する固定手段と、前記区画内での前記スクリーンユニットの位置を調整する位置調整手段を有することを特徴とする付記１乃至付記４記載の組立て式スクリーン。
（付記６）
前記スクリーンユニットが、前記サブスクリーンと、前記サブスクリーンの裏面を支持する枠状の第１のフレームと、前記第１のフレームから見て前記サブスクリーンとは反対の側に設けられた枠状の第２のフレームを有し、前記第１のフレームと前記第２のフレームの間に複数の弾性体を有し、前記第１のフレームが形成する面と前記第２のフレームが形成する面のなす角を調整する角度調整手段を、有することを特徴とする付記１乃至付記５記載の組立て式スクリーン。
（付記７）
前記位置調整手段が、前記支持枠に係止され、前記第２のフレームに係合する位置調整ネジであることを特徴とする付記５乃至付記６記載の組立て式スクリーン。
（付記８）
前記第２のフレームが、前記位置調整ネジに係合する凹部を有することを特徴とする付記７記載の組立て式スクリーン。
（付記９）
前記角度調整手段が、前記第２のフレームに係止されたネジであり、その先端部が前記第１のフレームに当接することを特徴とする付記６記載の組立て式スクリーン。
（付記１０）
前記角度調整手段が、前記第２のフレームに係止され、その一部が前記第１のフレームに当接する弾性体であることを特徴とする付記６記載の組立て式スクリーン。
（付記１１）
前記角度調整手段が、前記第２のフレームに係止され、その一部が前記第１のフレームに当接する気体または液体を内包する袋状体であり、前記気体または液体の量が変更可能であることを特徴とする付記６記載の組立て式スクリーン。
（付記１２）
板材と、前記板材を前記第１のフレームに接続する接続手段とからなる固定具を有し、前記板材と前記サブスクリーンとで前記支持枠を挟持することが可能である、ことを特徴とする付記６乃至付記１１記載の組立て式スクリーン。
（付記１３）
前記接続手段がネジであることを特徴とする付記１２記載の組立て式スクリーン。
（付記１４）
前記接続手段が弾性体であることを特徴とする付記１２記載の組立て式スクリーン。
（付記１５）
スクリーンの外枠と格子状の枠とを有する支持枠を用い、前記格子状の枠が形成する各区画に、サブスクリーンを有するスクリーンユニットを略固定する工程と、前記サブスクリーンの面と、前記支持枠が形成する面とのなす角を前記スクリーンユニット毎に調整する工程と、前記区画内における前記スクリーンユニットの位置を調整する工程と有し、サブスクリーンを略平面充填することを特徴とするスクリーンの組立て方法。
（付記１６）
前記サブスクリーンの面と前記支持枠の形成する面とがなす角を調整する工程と、前記区画内における前記スクリーンユニットの位置を調整する工程とを経た後に、前記支持枠の裏面側に板状の固定具を配する工程と、前記固定具を、ネジもしくは弾性体を用いて前記スクリーンユニットに接続し、前記固定具と前記サブスクリーンとで前記支持枠を挟持する工程と、を有することを特徴とする付記１５記載のスクリーンの組立て方法。
【符号の説明】
【００１８】
１    スクリーンユニット
２    支持枠
３、３’    サブスクリーン
４    上部フレーム
５    弾性体
６    下部フレーム
７    位置調整ネジ
８    角度調整ネジ
９    袋状体
１０    逆止弁
１１    ポンプ
１２    緩衝層
１３    溝
１４    固定具
１５    固定ネジ
１６    バネ材
１７    梁
１８    内部角度調整ネジ
１０１、１１１    フレーム
１０２、１１２    サブスクリーン
１０３    ジョイントボルト
１０４    ナット
１１３    支持枠
１１４    上押しボルト
１１５    横押しボルト
１１６    リブ
１１７    吊り下げ具
【図１】
0005910160.tif 000002
【図２】
0005910160.tif 000003
【図３】
0005910160.tif 000004
【図４】
0005910160.tif 000005
【図５】
0005910160.tif 000006
【図６】
0005910160.tif 000007
【図７】
0005910160.tif 000008
【図８】
0005910160.tif 000009
【図９】
0005910160.tif 000010
【図１０】
0005910160.tif 000011
【図１１】
0005910160.tif 000012
【図１２】
0005910160.tif 000013
【図１３】
0005910160.tif 000014